【手続補正書】
【提出日】平成27年10月8日(2015.10.8)
【手続補正１】
【補正対象書類名】特許請求の範囲
【補正対象項目名】全文
【補正方法】変更
【補正の内容】
【特許請求の範囲】
【請求項１】
マルチフローＨＳＤＰＡ（高速ダウンリンクパケットアクセス）動作のために構成された無線ネットワーク制御装置（ＲＮＣ）（５）と通信を行う第１の無線基地局（ＲＢＳ）（１ａ）において実行される方法であって、パケットデータユニット（ＰＤＵ）がユーザ機器（ＵＥ）ノードに対して前記第１のＲＢＳと少なくとも１つの第２のＲＢＳ（１ｂ）を介して通信され、前記方法は、
ＰＤＵ廃棄イベントとＰＤＵ欠損イベントとの内の少なくともいずれかを検出する工程（２０）と、
前記検出されたＰＤＵ廃棄イベントとＰＤＵ欠損イベントとの内の少なくともいずれかを通知する情報を前記第１のＲＢＳから前記ＲＮＣへ通信する工程（２２）とを有し、
前記情報は、前記検出されたＰＤＵ廃棄イベントとＰＤＵ欠損イベントとの内の少なくともいずれかに関係する前記ＰＤＵの最初の２つのオクテットを含むことを特徴とする方法。
【請求項２】
前記検出されたＰＤＵ廃棄イベントは、ＭＡＣ−ｈｓ／ｅｈｓ（メディアアクセス制御−高速／改良型高速）キューからの廃棄に対応することを特徴とする請求項１に記載の方法。
【請求項３】
前記検出されたＰＤＵ欠損イベントは、前記ＲＮＣと、前記第１のＲＢＳと前記第２のＲＢＳとの内の少なくとも１つとを相互接続するトランスポートネットワークにおける欠損に対応することを特徴とする請求項１又は２に記載の方法。
【請求項４】
前記トランスポートネットワークにおける欠損は、シーケンス番号に基いて検出されることを特徴とする請求項３に記載の方法。
【請求項５】
前記シーケンス番号は、ＩｕｂＦＰ（フレームプロトコル）に従うシーケンス番号であることを特徴とする請求項４に記載の方法。
【請求項６】
前記トランスポートネットワークにおける欠損は、前記シーケンス番号と受信したＩｕｂＦＰデータフレームの遅延基準時間フィールドとに基いて検出されることを特徴とする請求項５に記載の方法。
【請求項７】
前記情報を通信する工程（２２）において、前記第１のＲＢＳから前記ＲＮＣへ通信される、前記検出されたＰＤＵ廃棄イベントとＰＤＵ欠損イベントとの内の少なくともいずれかを通知する情報は、前記ＲＮＣに前記検出されたＰＤＵ廃棄イベントとＰＤＵ欠損イベントとの内の少なくともいずれかに関係するＰＤＵを再送させるように構成されていることを特徴とする請求項１乃至６のいずれか１項に記載の方法。
【請求項８】
前記情報を通信する工程（２２）は、
前記ＰＤＵが前記第１のＲＢＳにより受信されたＩｕｂＤＦ（データフレーム）の、シーケンス番号と、ＤＲＴ（遅延基準時間）とＣＲＣ（巡回冗長チェック）との内の少なくともいずれかとを含む情報を通信する工程を含むことを特徴とする請求項１乃至７のいずれか１項に記載の方法。
【請求項９】
前記情報を通信する工程（２２）において、前記情報は、前記検出されたＰＤＵ廃棄イベントとＰＤＵ欠損イベントとの内の少なくともいずれかに関係する前記ＰＤＵに関係するＤＦのＣＲＣを含むことを特徴とする請求項１乃至８のいずれか１項に記載の方法。
【請求項１０】
前記情報を通信する工程（２２）において、前記情報は、ＩｕｂＤＦにおけるＭＡＣ−ｄ（媒体アクセス制御専用データ）ＰＤＵの位置を含むことを特徴とする請求項１乃至９のいずれか１項に記載の方法。
【請求項１１】
前記情報を通信する工程（２２）において、前記情報は、検出されたＩｕｂフレーム欠損の直前と直後に受信される複数のＩｕｂフレームの指示を含むことを特徴とする請求項１乃至１０のいずれか１項に記載の方法。
【請求項１２】
前記情報を通信する工程（２２）において、前記情報は、前記検出されたＰＤＵ廃棄イベントとＰＤＵ欠損イベントとの内の少なくともいずれかに関係する前記ＰＤＵのＴＮ（トランスポートネットワーク）欠損によるギャップの直前と直後に受信された複数のＰＤＵの最初の２つのオクテットを含むことを特徴とする請求項１１に記載の方法。
【請求項１３】
前記情報を通信する工程（２２）において、前記情報は、廃棄したＰＤＵに関係するＲＬＣヘッダを含むことを特徴とする請求項１１又は１２に記載の方法。
【請求項１４】
前記情報を通信する工程（２２）において、前記情報は、ＴＮ欠損によるギャップの前のフレームにおける最後のＰＤＵのヘッダを含むことを特徴とする請求項１１乃至１３のいずれか１項に記載の方法。
【請求項１５】
前記情報を通信する工程（２２）において、前記情報は、ＴＮ欠損によるギャップの後のフレームにおける最初のＰＤＵのヘッダを含むことを特徴とする請求項１１乃至１４のいずれか１項に記載の方法。
【請求項１６】
前記情報を通信する工程（２２）において、前記情報は、ＴＮ欠損によるギャップの直前と直後に受信された複数のＩｕｂデータフレームのＤＲＴフィールド、ＦＳＮ（フレームシーケンス番号）フィールド、ＣＲＣを含むことを特徴とする請求項１１乃至１５のいずれか１項に記載の方法。
【請求項１７】
前記情報を通信する工程（２２）において、前記情報は、廃棄理由、廃棄したＰＤＵの数、全ての廃棄したＰＤＵの識別子のフィールドを含むことを特徴とする請求項１乃至１６のいずれか１項に記載の方法。
【請求項１８】
前記情報を通信する工程（２２）において、前記情報は、欠損理由、欠損したＰＤＵの前の最後のＰＤＵの識別子、前記欠損したＰＤＵ後の最初のＰＤＵの識別子のフィールドを含むことを特徴とする請求項１乃至１６のいずれか１項に記載の方法。
【請求項１９】
マルチフローＨＳＤＰＡ（高速ダウンリンクパケットアクセス）動作のために構成された無線ネットワーク制御装置（ＲＮＣ）（５）と通信を行うように構成された無線基地局（ＲＢＳ）（１ａ）であって、パケットデータユニット（ＰＤＵ）がユーザ機器（ＵＥ）ノードに対して前記ＲＢＳと少なくとも１つの第２のＲＢＳ（１ｂ）を介して通信され、前記無線基地局（１ａ）は、
プロセッサ（７０４）と、
前記プロセッサにより実行されるとき、前記無線基地局（１ａ）が
ＰＤＵ廃棄イベントとＰＤＵ欠損イベントとの内の少なくともいずれかを検出し、
該検出されたＰＤＵ廃棄イベントとＰＤＵ欠損イベントとの内の少なくともいずれかを通知する情報を前記ＲＢＳから前記ＲＮＣへ通信するようにさせる命令を格納したコンピュータプログラム（７０６）とを有し、
前記情報は、前記検出されたＰＤＵ廃棄イベントとＰＤＵ欠損イベントとの内の少なくともいずれかに関係する前記ＰＤＵの最初の２つのオクテットを含むことを特徴とする無線基地局。
【請求項２０】
マルチフローＨＳＤＰＡ（高速ダウンリンクパケットアクセス）動作のために構成された無線ネットワーク制御装置（ＲＮＣ）において実行される方法であって、パケットデータユニット（ＰＤＵ）がユーザ機器（ＵＥ）ノードに対して少なくとも２つの無線基地局（ＲＢＳ）を介して通信され、前記方法は、
前記少なくとも２つのＲＢＳの内の第１のＲＢＳから、前記第１のＲＢＳにより検出されたＰＤＵ廃棄イベントとＰＤＵ欠損イベントとの内の少なくともいずれかを通知する第１の情報を受信する工程（３０）と、
前記受信した第１の情報に応じて、前記ＵＥノードに対して前記検出されたＰＤＵの廃棄イベントとＰＤＵ欠損イベントとの内の少なくともいずれかに関係するＰＤＵを再送する工程（３２）とを有し、
前記第１の情報は、前記検出されたＰＤＵ廃棄イベントとＰＤＵ欠損イベントとの内の少なくともいずれかに関係する前記ＰＤＵの最初の２つのオクテットを含むことを特徴とする方法。
【請求項２１】
前記再送する工程（３２）は、第２のＲＢＳを含む異なる経路を介して前記ＰＤＵを再送することを特徴とする請求項２０に記載の方法。
【請求項２２】
前記ＲＮＣにおいて、前記ＰＤＵが前記第１のＲＢＳに送信されたＩｕｂＤＦのシーケンス番号とＤＲＴとの内の少なくともいずれかとＣＲＣとを含む第２の情報を格納する工程（３６）と、
前記第１の情報と前記第２の情報とを比較して、再送される前記ＰＤＵを識別する工程（３８）とをさらに有することを特徴とする請求項２１に記載の方法。
【請求項２３】
前記第２の情報を受信する工程（３４）をさらに有することを特徴とする請求項２２に記載の方法。
【請求項２４】
前記第２の情報を格納する工程（３６）は、ハッシュ貯蔵部に前記第２の情報を表現するハッシュ値を格納することを含み、
前記比較する工程（３８）は、前記第２の情報を表現する前記ハッシュ値と前記第１の情報を表現するハッシュ値とを比較し、再送される前記ＰＤＵを識別することを含むことを特徴とする請求項２２又は２３に記載の方法。
【請求項２５】
マルチフローＨＳＤＰＡ（高速ダウンリンクパケットアクセス）動作のために構成された無線ネットワーク制御装置（ＲＮＣ）（５）であって、パケットデータユニット（ＰＤＵ）がユーザ機器（ＵＥ）ノードに対して少なくとも２つの無線基地局（ＲＢＳ）を介して通信され、前記無線ネットワーク制御装置（５）は、
プロセッサ（７０４）と、
前記プロセッサにより実行されるとき、前記無線ネットワーク制御装置（５）が
前記少なくとも２つのＲＢＳの内の第１のＲＢＳから、前記第１のＲＢＳにより検出されたＰＤＵ廃棄イベントとＰＤＵ欠損イベントとの内の少なくともいずれかを通知する情報を受信し、
前記受信した情報に応じて、前記ＵＥノードに対して前記検出されたＰＤＵ廃棄イベントとＰＤＵ欠損イベントとの内の少なくともいずれかに関係するＰＤＵを再送するようにさせる命令を格納するコンピュータプログラム（７０６）とを有し、
前記情報は、前記検出されたＰＤＵ廃棄イベントとＰＤＵ欠損イベントとの内の少なくともいずれかに関係する前記ＰＤＵの最初の２つのオクテットを含むことを特徴とする無線ネットワーク制御装置。